(57)【要約】【課題】再設計したり余分な作業を行うことなく、既存の電子筐体やケーブルをそのまま使用することができ、しかも小型で高周波帯域のノイズも除去可能なノイズ除去器を提供する。【解決手段】ノイズ除去器１は、雌コネクタ部２と雄コネクタ部３と本体部４とを備える。雌コネクタ部２は、外部ケーブルのケーブルコネクタに挿抜自在に接続することができ、雄コネクタ部３は、電子機器の機器側コネクタに挿抜自在に接続することができる構造を成す。また、本体部４は、第１及び第２コイル４１，４２でなるコモンモードチョークコイル４０を有しており、第１コイル４１は、雌コネクタ部２の第１接触子２１と雄コネクタ部３の第３接触子３１との間に接続され、第２コイル４２は、第２接触子２２と第４接触子３２との間に接続されている。好ましくは、本体部４のコモンモードチョークコイルを積層型のチップコイルとする。【選択図】図１
2007335277.tif 000002
【特許請求の範囲】
【請求項１】
外部ケーブルに取り付けられたケーブルコネクタに挿抜自在な第１コネクタ部と、電子機器の筐体に配設され且つ上記ケーブルコネクタに接続可能な機器側コネクタに挿抜自在な第２コネクタ部と、これら第１及び第２コネクタ部がその入，出力端にそれぞれ接続され、当該第１及び第２コネクタ部の一方から侵入したノイズを除去するノイズ除去本体部とを備えるノイズ除去器であって、
上記外部ケーブルは、少なくとも一対の線路を有し、
上記ケーブルコネクタは、上記一対の線路にそれぞれ接続された第１及び第２接触子を有し、
上記機器側コネクタは、上記第１及び第２接触子にそれぞれ接触可能な第３及び第４接触子を有し、
上記ノイズ除去本体部は、第１及び第２コイルで構成されるコモンモードチョークコイルを有し、
上記第１コネクタ部は、上記第１及び第２コイルの一方端がそれぞれ接続され且つ上記ケーブルコネクタの第１及び第２接触子に挿抜自在に接触可能な第１及び第２接触子を有し、
上記第２コネクタ部は、上記第１及び第２コイルの他方端がそれぞれ接続され且つ上記機器側コネクタの第３及び第４接触子に挿抜自在に接触可能な第３及び第４接触子を有する、
ことを特徴とするノイズ除去器。
【請求項２】
請求項１に記載のノイズ除去器において、
上記コモンモードチョークコイルの上記第１及び第２コイルのそれぞれは、磁性体に被覆された状態で上記第１コネクタ部から第２コネクタ部に向かう螺旋状のコイルである、
ことを特徴とするノイズ除去器。
【請求項３】
請求項１に記載のノイズ除去器において、
上記コモンモードチョークコイルは、上記第１コイルの導体パターンと上記第２コイルの導体パターンとを磁性体内に積層して形成した積層型のチップコイルである、
ことを特徴とするノイズ除去器。
【請求項４】
請求項１ないし請求項３のいずれかに記載のノイズ除去器において、
上記外部ケーブルは、上記一対の線路としてグランド線路と直流電源線路とを有したＡＣアダプタのケーブルであり、
上記ケーブルコネクタは、上記グランド線路に接続された筒状の上記第１接触子と、上記直流電源線路が接続された状態で当該第１接触子の中心部に位置するピン状の上記第２接触子とを有し、
上記機器側コネクタは、上記ケーブルコネクタの第１接触子が嵌合可能な筒状の上記第３接触子と、当該第３接触子の中心部に位置し上記第２接触子が接触可能なピン状の上記第４接触子とを有し、
上記第１コネクタ部は、上記第１コイルの一方端が接続され且つ上記ケーブルコネクタの第１接触子に嵌合可能な筒状の第１接触子と、上記第２コイルの一方端が接続された状態で当該第１接触子の中心部に位置し上記ケーブルコネクタの第２接触子に接触可能なピン状の上記第２接触子とを有し、
上記第２コネクタ部は、上記第１コイルの他方端が接続され且つ上記機器側コネクタの第３接触子に嵌合可能な筒状の第３接触子と、上記第２コイルの他方端が接続された状態で当該第３接触子の中心部に位置し上記機器側コネクタの第４接触子に接触能なピン状の第４接触子とを有する、
ことを特徴とするノイズ除去器。
【請求項５】
請求項１ないし請求項４のいずれかに記載のノイズ除去器において、
上記第１コネクタ部の第１接触子と第２接触子の間又は上記第２コネクタ部の第３接触子と第４接触子の間のいずれかに誘電体を介設した、
ことを特徴とするノイズ除去器。
【発明の詳細な説明】
【技術分野】
【０００１】
この発明は、電源ケーブルや機器間ケーブルに侵入したノイズを除去するためのノイズ除去器に関するものである。
【背景技術】
【０００２】
従来、この種の技術としては、例えば、特許文献１及び特許文献２に開示された技術がある。これらの技術は、リング状のフェライトコアをケーブルの外側に嵌めてケーブル内のノイズをこのフェライトコアで減衰させようとするものである。
また、他の技術としては、例えば、特許文献３及び特許文献４に開示された技術がある。これらの技術は、ケーブルのコネクタ部分にインダクタやフィルタ回路を内蔵して、ノイズをこのインダクタ等で濾波しようとするものである。
【０００３】
【特許文献１】特開２００１−１８５８９１号公報
【特許文献２】特開昭６１−０２９５２８号公報
【特許文献３】特開２００１−１６０４６３号公報
【特許文献４】特開平０２−０６８５２０号公報
【発明の開示】
【発明が解決しようとする課題】
【０００４】
しかし、上記した従来の技術では、次のような問題がある。
フェライトコアをケーブルの外側に嵌めてノイズ減衰を図る技術では、フェライトコアを電子機器の筐体に固定する必要があり、このため、筐体の再設計や筐体へのフェライトコア取り付け作業が必要となる。さらに、フェライトコアでは、コモンモードノイズ等の高周波ノイズを除去する能力が低い。
一方、ケーブルのコネクタ部分にインダクタ等を内蔵してノイズ濾波を図る技術では、元のケーブルのコネクタを取り外し、インダクタ等を内蔵した新たなコネクタを当該ケーブルに取り付けて、専用のケーブルを作る必要がある。このため、ケーブルの再設計や新コネクタの取り付け作業が必要となる。さらに、螺旋コイル状のインダクタやコアにコイルを巻き付けたチョークコイル等をコネクタに内蔵するため、コネクタの小型化が難しい。
【０００５】
この発明は、上述した課題を解決するためになされたもので、再設計したり余分な作業を行うことなく、既存の電子筐体やケーブルをそのまま使用することができ、しかも小型で高周波帯域のノイズも除去可能なノイズ除去器を提供することを目的とする。
【課題を解決するための手段】
【０００６】
上記課題を解決するために、請求項１の発明は、外部ケーブルに取り付けられたケーブルコネクタに挿抜自在な第１コネクタ部と、電子機器の筐体に配設され且つケーブルコネクタに接続可能な機器側コネクタに挿抜自在な第２コネクタ部と、これら第１及び第２コネクタ部がその入，出力端にそれぞれ接続され、当該第１及び第２コネクタ部の一方から侵入したノイズを除去するノイズ除去本体部とを備えるノイズ除去器であって、外部ケーブルは、少なくとも一対の線路を有し、ケーブルコネクタは、一対の線路にそれぞれ接続された第１及び第２接触子を有し、機器側コネクタは、第１及び第２接触子にそれぞれ接触可能な第３及び第４接触子を有し、ノイズ除去本体部は、第１及び第２コイルで構成されるコモンモードチョークコイルを有し、第１コネクタ部は、第１及び第２コイルの一方端がそれぞれ接続され且つケーブルコネクタの第１及び第２接触子に挿抜自在に接触可能な第１及び第２接触子を有し、第２コネクタ部は、第１及び第２コイルの他方端がそれぞれ接続され且つ機器側コネクタの第３及び第４接触子に挿抜自在に接触可能な第３及び第４接触子を有する構成とした。
かかる構成により、第１コネクタ部を外部ケーブルのケーブルコネクタに挿入し、第２コネクタ部を機器側コネクタに挿入するだけで、ノイズ除去器を電子機器と外部ケーブルとの間に介装することができる。そして、ノイズが外部ケーブル又は電子機器から第１及び第２コネクタ部を通じてノイズ除去器内に侵入すると、ノイズ除去本体部によって除去される。このとき、ノイズ除去本体部のコモンモードチョークコイルの第１及び第２コイルの一方端に接続された第１コネクタ部の第１及び第２接触子が、ケーブルコネクタの第１及び第２接触子に接触し、第１及び第２コイルの他方端に接続された第２コネクタ部の第３及び第４接触子が、機器側コネクタの第３及び第４接触子に接触しているので、高周波のコモンモードノイズが外部ケーブル等に侵入した場合でも、コモンモードチョークコイルによって除去することができる。
【０００７】
請求項２の発明は、請求項１に記載のノイズ除去器において、コモンモードチョークコイルの第１及び第２コイルのそれぞれは、磁性体に被覆された状態で第１コネクタ部から第２コネクタ部に向かう螺旋状のコイルである構成とした。
【０００８】
請求項３の発明は、請求項１に記載のノイズ除去器において、コモンモードチョークコイルは、第１コイルの導体パターンと第２コイルの導体パターンとを磁性体内に積層して形成した積層型のチップコイルである構成とした。
【０００９】
請求項４の発明は、請求項１ないし請求項３のいずれかに記載のノイズ除去器において、外部ケーブルは、一対の線路としてグランド線路と直流電源線路とを有したＡＣアダプタのケーブルであり、ケーブルコネクタは、グランド線路に接続された筒状の第１接触子と、直流電源線路が接続された状態で当該第１接触子の中心部に位置するピン状の第２接触子とを有し、機器側コネクタは、ケーブルコネクタの第１接触子が嵌合可能な筒状の第３接触子と、当該第３接触子の中心部に位置し第２接触子が接触可能なピン状の第４接触子とを有し、第１コネクタ部は、第１コイルの一方端が接続され且つケーブルコネクタの第１接触子に嵌合可能な筒状の第１接触子と、第２コイルの一方端が接続された状態で当該第１接触子の中心部に位置しケーブルコネクタの第２接触子に接触可能なピン状の第２接触子とを有し、第２コネクタ部は、第１コイルの他方端が接続され且つ機器側コネクタの第３接触子に嵌合可能な筒状の第３接触子と、第２コイルの他方端が接続された状態で当該第３接触子の中心部に位置し機器側コネクタの第４接触子に接触能なピン状の第４接触子とを有する構成とした。
かかる構成によれば、第１コネクタ部の筒状の第１接触子をケーブルコネクタの筒状の第１接触子に嵌合することで、第１コネクタ部のピン状の第２接触子とケーブルコネクタの第２接触子とが接触した状態になる。また、第２コネクタ部の筒状の第３接触子を機器側コネクタの筒状の第３接触子に嵌合することで、第２コネクタ部のピン状の第４接触子と機器側コネクタのピン状の第４接触子とが接触した状態になる。そして、ＡＣ（Alternating Current）アダプタのグランド線路と直流電源線路とを同方向に流れる高周波のコモンモードノイズがノイズ除去本体部のコモンモードチョークコイルによって除去される。
【００１０】
請求項５の発明は、請求項１ないし請求項４のいずれかに記載のノイズ除去器において、第１コネクタ部の第１接触子と第２接触子の間又は第２コネクタ部の第３接触子と第４接触子の間のいずれかに誘電体を介設した構成とする。
かかる構成により、第１コネクタ部の第１接触子と第２接触子との間又は第２コネクタ部の第３接触子と第４接触子の間のいずれかにキャパシタが形成される。これにより、一対の線路の一方を流れるノーマルモードノイズが、このキャパシタを通じて他方の線路に戻される。
【発明の効果】
【００１１】
以上詳しく説明したように、この発明に係るノイズ除去器によれば、第１及び第２コネクタ部をケーブルコネクタ及び機器側コネクタに挿入するだけで、コモンモードチョークコイルを有したノイズ除去本体部を電子機器と外部ケーブルとの間に容易に介装することができるので、電子機器筐体や外部ケーブルに対する再設計や加工作業を行うことなく、ノイズ除去器を装着することができる。この結果、ノイズ除去器実装作業の容易化と短時間化とを図ることができるという優れた効果がある。また、コモンモードチョークコイルによってノイズを除去する構成としたので、高周波帯域のノイズをも除去することができるという効果がある。
【００１２】
特に、請求項３の発明に係るノイズフィルタによれば、コモンモードチョークコイルとして、積層型のチップコイルを適用したので、ノイズ除去本体部の小型化、ひいてはノイズ除去器自体の小型化を図ることができるという効果がある。
【００１３】
また、請求項５の発明に係るノイズフィルタによれば、コモンモードノイズだけでなく、ノーマルモードノイズをも効率的に除去することができるので、各種ノイズを広帯域で除去することができるという効果がある。
【発明を実施するための最良の形態】
【００１４】
以下、この発明の最良の形態について図面を参照して説明する。
【実施例１】
【００１５】
図１は、この発明の第１実施例に係るノイズ除去器の分解斜視図であり、図２は、ノイズ除去器の外観図である。
【００１６】
図１及び図２に示すように、この実施例のノイズ除去器１は、第１コネクタ部としての雌コネクタ部２と第２コネクタ部としての雄コネクタ部３とノイズ除去本体部としての本体部４とを備えて成る。
【００１７】
このノイズ除去器１は、外部ケーブルのケーブルコネクタと電子機器に設けられた機器側コネクタとの間に接続することができる器具である。
図３は、このノイズ除去器１を使用可能なＡＣアダプタ１００のケーブルコネクタ１２０と電子機器２００の機器側コネクタ２１０とを示す断面図である。
図３に示すように、このＡＣアダプタ１００は、周知のアダプタであり、規格化された雄型のケーブルコネクタ１２０を電子機器２００側の規格化された雌型の機器側コネクタ２１０に差し込んで、直流電源を電子機器２００に供給するものである。
具体的には、外部ケーブル１１０は、図示しないグランド線路と直流電源線路とを有し、ケーブルコネクタ１２０は、グランド線路に接続された円筒状の第１接触子１２１と直流電源線路が接続された状態で第１接触子１２１の中心部に配されたピン状の第２接触子１２２とを有している。
一方、機器側コネクタ２１０は、電子機器２００の筐体に取り付けられており、グランド線路２０１が接続された第３接触子２１１と、直流電源線路２０２が接続された第４接触子２１２とを有し、ＡＣアダプタ１００のケーブルコネクタ１２０を接続することができるようになっている。
具体的には、第３接触子２１１は、ケーブルコネクタ１２０の第１接触子１２１が内側に挿入可能な円筒状を成す。また、第４接触子２１２はピン状を成し、第３接触子２１１の中心部に位置する。そして、第４接触子２１２は、外側に開口する穴２１２ａを有し、ケーブルコネクタ１２０の第１接触子１２１を第３接触子２１１に嵌めると、第２接触子１２２が穴２１２ａに挿入されて、第４接触子２１２と第２接触子１２２との接続が図られるようになっている。
【００１８】
したがって、図１に示すように、ノイズ除去器１の雌コネクタ部２は、電子機器２００の機器側コネクタ２１０に対応した構造を成し、雄コネクタ部３は、ＡＣアダプタ１００のケーブルコネクタ１２０に対応した構造を成す。
図４は、図２の矢視Ａ−Ａ断面図であり、図５は、雌コネクタ部２の正面図であり、図６は、雄コネクタ部３の正面図である。
すなわち、図４及び図５に示すように、雌コネクタ部２は、機器側コネクタ２１０とほぼ同構造を成し、ケーブルコネクタ１２０の第１及び第２接触子１２１，１２２に挿抜自在に接触可能な第１及び第２接触子２１，２２を有している。具体的には、第１接触子２１は、ケーブルコネクタ１２０の第１接触子１２１を内側に挿入可能な円筒状を成し、第２接触子２２は、ピン状を成し、第１接触子２１の中心部に位置する。そして、この第２接触子２２にも、外側に開口する穴２２ａが形成され、ケーブルコネクタ１２０の第１接触子１２１を第１接触子２１に嵌めると、第２接触子１２２が穴２２ａに挿入されて、第２接触子２２と第２接触子１２２との接続が図られるようになっている。
【００１９】
また、雄コネクタ部３は、図４及び図６に示すように、ケーブルコネクタ１２０とほぼ同構造を成し、機器側コネクタ２１０の第３及び第４接触子２１１，２１２に挿抜自在に接触可能な第３及び第４接触子３１，３２を有している。具体的には、第３接触子３１は、機器側コネクタ２１０の第３接触子２１１の内側に挿入可能な円筒状を成す。また、第４接触子３２は、ピン状を成し、第３接触子３１の中心部に位置している。そして、第３接触子３１を機器側コネクタ２１０の第３接触子２１１に挿入すると、この第４接触子３２が、第４接触子２１２の穴２１２ａ内に挿入されて、第４接触子３２と第４接触子２１２との接続が図られるようになっている。
【００２０】
本体部４は、侵入したノイズを除去する部分であり、コモンモードチョークコイル４０を磁性体４４が充填された樹脂製円筒体４３内に設け、コモンモードチョークコイル４０の入，出力端を、雄コネクタ部３，雄コネクタ部３にそれぞれ接続した構造を成す。
具体的には、コモンモードチョークコイル４０は、並行に巻かれた螺旋状の第１及び第２コイル４１，４２で構成されている。詳しくは、第１コイル４１の右端部４１ａを雌コネクタ部２の第１接触子２１に接続すると共に左端部４１ｂを雄コネクタ部３の第３接触子３１に接続し、第２コイル４２の右端部４２ａを雌コネクタ部２の第２接触子２２に接続すると共に左端部４２ｂを雄コネクタ部３の第４接触子３２に接続した。すなわち、コモンモードチョークコイル４０の第１コイル４１がグランド線路に接続され、第２コイル４２が直流電源線路に接続されるように構成されている。
【００２１】
次に、この実施例のノイズ除去器１が示す作用及び効果について説明する。
図７は、ノイズ除去器１の介装方法を示す斜視図であり、図８は、ノイズ除去器１の介装状態を示す断面図である。
図７に示すように、ノイズ除去器１の雌コネクタ部２をＡＣアダプタ１００のケーブルコネクタ１２０側に向け、雄コネクタ部３を電子機器２００の機器側コネクタ２１０側に向けた状態で、雌コネクタ部２，雄コネクタ部３をケーブルコネクタ１２０，機器側コネクタ２１０にそれぞれ挿入する。すると、図８に示すように、雌コネクタ部２の第１及び第２接触子２１，２２がケーブルコネクタ１２０の第１及び第２接触子１２１，１２２にそれぞれ接触する共に、雄コネクタ部３の第３及び第４接触子３１，３２が機器側コネクタ２１０の第３及び第４接触子２１１，２１２に接触する。この結果、ケーブルコネクタ１２０と機器側コネクタ２１０とがノイズ除去器１を介して電気的に接続された状態になる。
すなわち、この実施例のノイズ除去器１によれば、雌コネクタ部２と雄コネクタ部３とをケーブルコネクタ１２０及び機器側コネクタ２１０に挿入するだけで、コモンモードチョークコイル４０を有した本体部４を電子機器と外部ケーブルとの間に容易に介装することができる。このため、ノイズ除去器１の装着の際に、電子機器２００の筐体や外部ケーブル１１０に対する再設計や半田付け作業等の加工作業を行う必要がない。
【００２２】
図９は、ノイズ除去器１のノイズ除去作用を説明するための等価回路図である。
かかるノイズ除去器１の介装状態において、図９の矢印で示すように、外部ケーブル１１０のグランド線路と直流電源線路とを同方向に流れる高周波のコモンモードノイズＮが、雌コネクタ部２を通じてノイズ除去器１内に侵入すると、コモンモードノイズＮはノイズが第１コイル４１，第２コイル４２に入り、磁性体４４とこれら第１及び第２コイル４１，４２による高インピーダンスによって除去される。
このように、この実施例のノイズ除去器１によれば、高周波帯域のコモンモードノイズを除去することができるという効果がある。
【実施例２】
【００２３】
次に、この発明の第２実施例について説明する。
図１０は、この発明の第２実施例に係るノイズ除去器を示す概略断面図であり、導体パターン７２と第２接触子２２，第４接触子３２との接続状態を示し、図１１は、導体パターン７１と第１接触子２１，第３接触子３１との接続状態を示すノイズ除去器の概略断面図であり、図１２は、コモンモードチョークコイル６の外観図であり、図１３は、本体部５の外観図であり、図１４は、コモンモードチョークコイル６の分解斜視図である。
図１０に示すように、この実施例は、本体部の構造が上記第１実施例の本体部４の構造と異なる。
すなわち、図１０〜図１２に示すように、本体部５を、積層型のチップコイルであるコモンモードチョークコイル６を樹脂６０で被覆することで構成した。
【００２４】
このコモンモードチョークコイル６は、図１２に示すように、チップ状の積層型コイルであり、図示しない第１及び第２コイルを内包した絶縁体６３を磁性体基板６１，６２で挟み、外部電極８１〜８４を外側に取り付けた構造を成す。このようなコモンモードチョークコイル６は、パターン印刷工法やフォトリソグラフィ工法等によって形成することができる。
【００２５】
具体的には、図１４に示すように、絶縁体６３を複数の絶縁層６４〜６６で積層構成し、第１コイルとしての導体パターン７１を絶縁層６５上に形成して、導体パターン７１上に絶縁層６４を積層した。そして、内部電極７１ｃ，７１ｄを絶縁層６４上に積層し、これら内部電極７１ｃ，７１ｄと導体パターン７１の端部７１ａ，７１ｂとをスルーホール６４ａ，６４ｂを通じて接続した。そして、磁性体基板６２を絶縁層６４上に積層した。また、絶縁層６５の下方の絶縁層６６上には、第２コイルとしての導体パターン７２を形成した。そして、磁性体基板６１の上に、内部電極７２ｃ，７２ｄを形成し、これら内部電極７２ｃ，７２ｄと導体パターン７２の端部７２ａ，７２ｂとをスルーホール６６ａ，６６ｂを通じて接続した。
そして、外部電極８１〜８４を、導体パターン７１，７２を内包した絶縁体６３と磁性体基板６１，６２とで成るチップ体の外側に取り付けた。詳しくは、図１２及び図１４に示すように、コ字状の外部電極８１を、チップ体の右側面奥側に取り付けて、この外部電極８１と内部電極７１ｃとを電気的に接続し、同じくコ字状の外部電極８２を、チップ体の左側面奥側に取り付けて、この外部電極８２と内部電極７１ｄとを電気的に接続した。そして、突出端子８１ａ，８２ａを、これら外部電極８１，８２の下端部８１ｂ，上端部８２ｂに突設した。これにより、突出端子８１ａが、内部電極７１ｃを通じて導体パターン７１の外側端部７１ａに接続し、突出端子８２ａが内部電極７１ｄを通じて導体パターン７１の内側端部７１ｂに接続した構造になっている。
また、上端部８３ｂが磁性体基板６２の上面中央部まで延出した外部電極８３を、チップの左側面前側に取り付けて、この外部電極８３と内部電極７２ｃとを電気的に接続し、下端部８４ｂが磁性体基板６１の下面中央部まで延出した外部電極８４を、チップ体の右側面前側に取り付けて、この外部電極８４と内部電極７２ｄとを電気的に接続した。そして、突出端子８３ａ，８４ａを、これら外部電極８３，８４の上端部８３ｂ，下端部８４ｂに突設した。これにより、突出端子８３ａが、内部電極７２ｃを通じて導体パターン７２の外側端部７２ａに接続し、突出端子８４ａが内部電極７２ｄを通じて導体パターン７２の内側端部７２ｂに接続した構造になっている。
【００２６】
本体部５は、図１３に示すように、積層型のコモンモードチョークコイル６を樹脂６０で被覆することで形成される。このとき、導体パターン７１の両端を成す突出端子８１ａ，８２ａの各端面と導体パターン７２の両端を成す突出端子８３ａ，８４ａの各端面とを、樹脂６０から露出させておく。
【００２７】
かかる本体部５は、図１０及び図１１に示すように、雌コネクタ部２と雄コネクタ部３との間に介装されている。
具体的には、図１０に示すように、本体部５を磁性体基板６１側を右側に向けた状態で雌コネクタ部２と雄コネクタ部３との間に介在させ、導体パターン７２の突出端子８４ａと雌コネクタ部２の第２接触子２２とを接続させると共に、突出端子８３ａと雄コネクタ部３の第４接触子３２とを接続した。このように接続状態において、図１１に示すように、導体パターン７１の突出端子８１ａと雌コネクタ部２の第１接触子２１とが接続すると共に、突出端子８２ａと雄コネクタ部３の第３接触子３１とが接続する。
【００２８】
かかる構成により、本体部４の小型化及び低背化を図ることができると共に、上記第１実施例と同様に、高周波帯域のノイズをも除去することができるという効果がある。
発明者等は、この実施例のノイズ除去器における高周波帯域のノイズ除去効果を確認すべく、次にようなシミュレーションを行った。
図１５は、フェライトコアを使用した場合とこの実施例のノイズ除去器を使用した場合にそれぞれ生じるコモンモードインピーダンスを示す線図である。
まず、図３に示したＡＣアダプタ１００の外部ケーブル１１０の外側にフェライトコアを嵌めて、ケーブルコネクタ１２０を電子機器２００の機器側コネクタ２１０に直接接続し、１ＭＨｚ〜１０００ＭＨｚ迄のコモンモードインピーダンスを計算したところ、破線のインピーダンス曲線Ｓ１で示す結果を得た。かかる結果によれば、インピーダンスが高周波帯域に向かうに従って多少高くなるものの十分とはいえない。
これに対して、フェライトコアを外した外部ケーブル１１０のケーブルコネクタ１２０と機器側コネクタ２１０との間にこの実施例のノイズ除去器を介装して、１ＭＨｚ〜１０００ＭＨｚ迄のコモンモードインピーダンスを計算したところ、実線のインピーダンス曲線Ｓ２で示す結果を得た。かかる結果によれば、インピーダンスが高周波帯域に向かうに従って急激に高くなり、特に２００ＭＨｚ〜１０００ＭＨｚという高周波のコモンモードノイズに対して高いノイズ除去効果を得ることが確認された。
その他の構成、作用及び効果は、上記第１実施例と同様であるので、その記載は省略する。
【実施例３】
【００２９】
次に、この発明の第３実施例について説明する。
図１６は、この発明の第３実施例に係るノイズ除去器を示す断面図である。図１７は、第３実施例のノイズ除去器のノイズ除去作用を説明するための等価回路図である。
この実施例は、雌コネクタ部２の第１接触子２１と第２接触子２２の間に誘電体９を介設した点が、上記第１及び第２実施例と異なる。
具体的には、図１６に示すように、所定厚さの円筒状の誘電体９を雌コネクタ部２の第２接触子２２を覆うように第１接触子２１内に挿入し、ケーブルコネクタ１２０の第１接触子１２１を挿入可能な空間部９０を誘電体９と第１接触子２１との間に形成した。
【００３０】
かかる構成により、ノイズ除去器１の雄コネクタ部３を電子機器２００の機器側コネクタ２１０（図３参照）に接続することができ、また、ケーブルコネクタ１２０の第１接触子１２１（図３参照）を雌コネクタ部２の空間部９０内に挿入させることができると共に、第２接触子１２２（図３参照）を第２接触子２２に接触させることができる。これにより、図１７に示すように、キャパシタＣが雌コネクタ部２の第２接触子２２とケーブルコネクタ１２０の第１接触子１２１との間に形成されることとなる。
【００３１】
かかる状態で  破線矢印で示すように、高周波のコモンモードノイズＮが、雌コネクタ部２から侵入すると、キャパシタＣに阻止されることなく、ノイズ除去器１内に入り込む。この結果、コモンモードノイズＮは、上記実施例と同様に、コモンモードチョークコイル４０によって除去される。
また、実線矢印で示すように、ノーマルモードノイズＭが直流電源線路を通じて第２接触子１２２から雌コネクタ部２に侵入すると、第２接触子２２からキャパシタＣを通じて第１接触子１２１に戻される。
【００３２】
このように、この実施例によれば、コモンモードノイズだけでなく、ノーマルモードノイズをも効率的に除去することができるので、各種ノイズを広帯域で除去することができる。
その他の構成、作用及び効果は、上記第１及び第２実施例と同様であるので、その記載は省略する。
【００３３】
なお、この発明は、上記実施例に限定されるものではなく、発明の要旨の範囲内において種々の変形や変更が可能である。
例えば、上記実施例では、外部ケーブルとして、ＡＣアダプタ１００の外部ケーブル１１０を適用し、この外部ケーブル１１０に用いられるケーブルコネクタ１２０と電子機器２００の機器側コネクタ２１０とに接続可能なノイズ除去器を例示したが、外部ケーブルとして、機器間接続を行うＵＳＢ（Universal Serial Bus），ＤＶＩ（Digital Visual Interface），ＨＤＭＩ（High Definition Multimedia Interface）やＩＥＥＥ（Institute of Electrical and Electronic Engineers）１３９４等のケーブルを適用することもできることは勿論である。かかる場合には、これらの規格のコネクタ構造に対応させて、ノイズ除去器の第１及び第２コネクタ部の構造を設定する。
また、上記第３実施例では、雌コネクタ部２の第１接触子２１と第２接触子２２の間に誘電体９を介設したが、雄コネクタ部３の第３接触子３１と第４接触子３２の間に介設してもよいことは勿論である。
【図面の簡単な説明】
【００３４】
【図１】この発明の第１実施例に係るノイズ除去器の分解斜視図である。
【図２】ノイズ除去器の外観図である。
【図３】このノイズ除去器を使用可能なＡＣアダプタのケーブルコネクタと電子機器の機器側コネクタとを示す断面図である。
【図４】図２の矢視Ａ−Ａ断面図である。
【図５】雌コネクタ部の正面図である。
【図６】雄コネクタ部の正面図である。
【図７】ノイズ除去器の介装方法を示す斜視図である。
【図８】ノイズ除去器の介装状態を示す断面図である。
【図９】ノイズ除去器のノイズ除去作用を説明するための等価回路図である。
【図１０】この発明の第２実施例に係るノイズ除去器を示す概略断面図である。
【図１１】導体パターンと第１接触子，第３接触子との接続状態を示すノイズ除去器の概略断面図である。
【図１２】コモンモードチョークコイルの外観図である。
【図１３】本体部の外観図である。
【図１４】コモンモードチョークコイルの分解斜視図である。
【図１５】フェライトコアを使用した場合とこの実施例のノイズ除去器を使用した場合にそれぞれ生じるコモンモードインピーダンスを示す線図である。
【図１６】この発明の第３実施例に係るノイズ除去器を示す断面図である。
【図１７】第３実施例のノイズ除去器のノイズ除去作用を説明するための等価回路図である。
【符号の説明】
【００３５】
１…ノイズ除去器、  ２…雌コネクタ部、  ３…雄コネクタ部、  ４，５…本体部、  ６，４０…コモンモードチョークコイル、  ９…誘電体、  ２１，１２１…第１接触子、  ２２，１２２…第２接触子、  ２２ａ，２１２ａ…穴、  ３１，２１１…第３接触子、  ３２，２１２…第４接触子、  ４１…第１コイル、  ４２…第２コイル、  ４３…樹脂製円筒体、  ４４…磁性体、  ６０…樹脂、  ６１，６２…磁性体基板、  ６３…絶縁体、  ７１，７２…導体パターン、  ９０…空間部、  １００…ＡＣアダプタ、  １１０…外部ケーブル、  １２０…ケーブルコネクタ、  ２００…電子機器、  ２１０…機器側コネクタ。
【図１】
2007335277.tif 000003
【図２】
2007335277.tif 000004
【図３】
2007335277.tif 000005
【図４】
2007335277.tif 000006
【図５】
2007335277.tif 000007
【図６】
2007335277.tif 000008
【図７】
2007335277.tif 000009
【図８】
2007335277.tif 000010
【図９】
2007335277.tif 000011
【図１０】
2007335277.tif 000012
【図１１】
2007335277.tif 000013
【図１２】
2007335277.tif 000014
【図１３】
2007335277.tif 000015
【図１４】
2007335277.tif 000016
【図１５】
2007335277.tif 000017
【図１６】
2007335277.tif 000018
【図１７】
2007335277.tif 000019